(57)【要約】  【課題】開口内壁に潤滑油が留まり易くなるように開口内壁を焼き入れしたシリンダブロックを提供することである。  【解決手段】シリンダブロック２０の開口内壁７１を、螺旋状に焼き入れする。開口内壁２１が、複数の傾斜した線に沿って焼き入れされる。開口内壁７１が複数の傾斜した線を単位として加熱され、加熱箇所を前記単位毎に移動させて、開口内壁７１が焼き入れる。直前の加熱箇所を冷却する。誘導加熱コイル１０をシリンダブロック２０の開口７０内に挿入し、開口７０内において誘導加熱コイル１０の一部がシリンダブロック２０の開口内壁７１に近接しており、誘導加熱コイル１０に高周波電流を通電しつつ回転させ、同時に誘導加熱コイル１０を軸方向に移動させて開口内壁７１を加熱し、開口内壁７１が螺旋状に焼き入れされる。【選択図】図１
2008157209.tif 000002
【特許請求の範囲】
【請求項１】
開口内壁が、螺旋状に焼き入れされたことを特徴とするシリンダブロック。
【請求項２】
開口内壁が、複数の傾斜した線に沿って焼き入れされたことを特徴とするシリンダブロック。
【請求項３】
開口内壁が複数の傾斜した線を単位として加熱され、加熱箇所を前記単位毎に移動させて、開口内壁が焼き入れされたことを特徴とするシリンダブロック。
【請求項４】
直前の加熱箇所が冷却されて、開口内壁が焼き入れされたことを特徴とする請求項３に記載のシリンダブロック。
【請求項５】
誘導加熱コイルをシリンダブロックの開口内に挿入し、開口内において誘導加熱コイルの一部がシリンダブロックの開口内壁に近接しており、シリンダブロックの開口内の誘導加熱コイルに高周波電流を通電しつつ回転させ、同時に誘導加熱コイルを軸方向に移動させて開口内壁を加熱し、開口内壁が螺旋状に焼き入れされたことを特徴とするシリンダブロック。
【請求項６】
交流電流が供給される固定側コイルと、前記固定側コイルの近傍に配置され固定側コイルと電磁的に結合されていて誘導電流を発生させる可動側コイルと、シリンダブロックの開口内に挿入可能な誘導加熱コイルと、誘導加熱コイルをシリンダブロックに対して相対的に軸方向に移動させる軸方向移動手段と、誘導加熱コイルをシリンダブロックの開口内で回転させるコイル操作手段とを有し、前記誘導加熱コイルが可動側コイルに接続され、前記可動側コイルは固定側コイルに対して回転可能であり、コイル操作手段が誘導加熱コイルを回転させる際に可動側コイルが追従可能である焼入装置で、開口内壁を焼き入れされたことを特徴とするシリンダブロック。
【請求項７】
シリンダブロックの開口内壁に配される第一接触子と、第二接触子と、導電部材とを備えており、前記第一接触子及び第二接触子はシリンダブロックの特定の位置と接触可能であり、前記第一接触子とシリンダブロックと第二接触子及び導電部材の組み合わせが接続されて高周波電流が通電され、前記第一接触子の接触位置と第二接触子の接触位置とは軸方向及び回転方向に離れた位置であり、導電部材の一部又は全部が第一接触子と第二接触子を繋ぐ仮想線に対向する位置に配された焼入装置で、開口内壁を螺旋状に焼き入れされたことを特徴とするシリンダブロック。
【請求項８】
前記第一接触子とシリンダブロックと第二接触子及び導電部材の組み合わせを複数組有しており、各組同士が並列に接続されていることを特徴とする請求項７に記載のシリンダブロック。
【発明の詳細な説明】
【技術分野】
【０００１】
本発明は、開口内壁を焼き入れしたシリンダブロックに関するものである。
【背景技術】
【０００２】
高周波誘導焼入を応用したシリンダブロックの焼入装置が知られている。
例えば特許文献１には、内燃機関のシリンダブロックの開口内壁を高周波誘導焼き入れする焼入装置が開示されている。
特許文献１に開示されたシリンダブロックの焼入装置は、シリンダブロックの開口内壁を斑点状に焼き入れするものである。
【０００３】
具体的には、昇降台を降下して誘導加熱コイルをシリンダの開口内に挿入し、誘導加熱コイルに高周波電流を供給してシリンダブロックの開口内壁の特定の高さの内周を破線状に加熱する。そして誘導加熱コイルへの電流供給を停止した後に急冷し、シリンダブロックの開口内壁を斑点状に焼き入れする。そして昇降台を昇降し、さらに昇降台上の円盤を回転させて誘導加熱コイルを僅かに回転させる。その後、再度誘導加熱コイルに高周波電流を供給してシリンダブロックの開口内壁の一部を加熱し、急冷する。この作業を繰り返し、シリンダブロックの開口内壁に斑点状の焼入部を面状であって千鳥状に分布させる。
【特許文献１】特開平９−３５３１号公報
【発明の開示】
【発明が解決しようとする課題】
【０００４】
ところで従来技術におけるシリンダの焼入パターンは、前記した様に斑点状の焼入部を面状に分布させたものであったが、焼入部は未焼入部よりも硬度が高く、ピストンが摺動することによって未焼入部の方が比較的摩耗し易い。摩耗した箇所には凹部やへこみが形成される。ところで、シリンダブロックの開口内壁とピストンの摩擦を小さくするために、通常、潤滑油（エンジンオイル）が使用されるが、潤滑油は、未焼入部の摩耗した箇所（凹部やへこみ）を伝って下方へ落下する。
従来のシリンダの焼入パターンは斑点状なので、従来の焼入装置で焼き入れされたシリンダブロックには、斑点部分以外の部分が摩耗し易く、潤滑油を保持するための、いわゆる「油溜まり」が連続的に形成されない。
そのため、開口内壁に潤滑油が長時間留まることができず、従来の焼入装置には改善の余地があった。
【０００５】
そこで本発明は、従来技術の上記した問題を解決し、開口内壁に潤滑油が留まり易くなるように開口内壁を焼き入れしたシリンダブロックを提供することを課題とするものである。
【課題を解決するための手段】
【０００６】
上記した課題を解決するための請求項１に記載の発明は、開口内壁が、螺旋状に焼き入れされたことを特徴とするシリンダブロックである。
【０００７】
請求項１の発明を実施したシリンダブロックでは、開口内壁が螺旋状に焼き入れされるため、螺旋状の焼き入れ部位が硬化する。一方、螺旋状の焼き入れ部位以外の未焼き入れ部位は硬化しない。すなわち、焼き入れ部位は硬度が高く、未焼き入れ部位は硬度が低い。エンジンの馴らし運転等によってシリンダ内におけるピストンの摺動を繰り返すと、未焼き入れ部位が削られ、焼き入れ部位が極めて僅かに突出する。その結果、ピストンを動作させた時に、当該焼き入れ部位に潤滑油（エンジンオイル）が僅かに残留する。そして本発明のシリンダブロックでは、焼き入れ部位が開口内壁に螺旋状に連続するので、潤滑油は開口内壁の広範囲に渡って螺旋に沿って付着し、強い油膜が形成される。
すなわち、螺旋の溝に入った潤滑油は、螺旋に沿って下方へ移動するが、螺旋を超えて真っ直ぐに下方へ移動することはできず、内壁から離脱するまで時間が掛かり、内壁上に潤滑油が留まり易くなる。これにより、ピストン摺動時の潤滑性が良好になり、焼け付きを防止することができ、エンジンの耐久性が向上する。
【０００８】
請求項２の発明は、開口内壁が、複数の傾斜した線に沿って焼き入れされたことを特徴とするシリンダブロックである。
【０００９】
請求項２の発明では、開口内壁が、複数の傾斜した線に沿って焼き入れされるので、請求項１の発明と同様に開口内壁に連続する溝が形成される。この溝は、傾斜した線に沿っているので、溝に侵入した油（潤滑油）は落下しにくく、溝内に留まりやすくなる。その結果、ピストンの摺動時の潤滑性が良好になり、焼け付きを防止することができ、エンジンの耐久性が向上する。
複数の傾斜した線を、等間隔で平行に設定すると、シリンダブロックの開口内壁に一様な溝が形成され、潤滑油が開口内壁の全域に渡って留まり易くなる。
【００１０】
請求項３の発明は、開口内壁が複数の傾斜した平行線を単位として加熱され、加熱箇所を前記単位毎に移動させて、開口内壁が焼き入れされたことを特徴とするシリンダブロックである。
【００１１】
請求項３の発明では、複数の傾斜した平行線を単位として、この単位毎に開口内壁を加熱するので、焼き入れに要する時間を短縮することができる。
【００１２】
請求項４の発明は、直前の加熱箇所が冷却されて、開口内壁が焼き入れされたことを特徴とする請求項３に記載のシリンダブロックである。
【００１３】
請求項４の発明では、複数の傾斜した平行線を単位とし、この単位毎に焼き入れした直後に冷却するので、開口内壁に対して確実な焼き入れを行うことができる。
【００１４】
請求項５の発明は、誘導加熱コイルをシリンダブロックの開口内に挿入し、開口内において誘導加熱コイルの一部がシリンダブロックの内壁に近接しており、シリンダブロックの開口内の誘導加熱コイルに高周波電流を通電しつつ回転させ、同時に誘導加熱コイルを軸方向に移動させて開口内壁を加熱し、開口内壁が螺旋状に焼き入れされたことを特徴とするシリンダブロックである。
【００１５】
請求項５の発明のシリンダブロックは、開口内に誘導加熱コイルを配置し、回転させながら軸方向に移動させることができる焼入装置で焼き入れされるので、誘導加熱コイルに高周波電流を通電すると、開口内壁に螺旋状の焼き入れを施すことができる。この螺旋状の焼き入れは、高周波電流が通電された誘導加熱コイルを回転させながら軸方向に移動させて行うので、焼き入れを円滑に行うことができる。よって、開口内壁への焼き入れを速やかに行うことができ、耐久性に優れたシリンダブロックを提供することができる。
【００１６】
請求項６の発明は、交流電流が供給される固定側コイルと、前記固定側コイルの近傍に配置され固定側コイルと電磁的に結合されていて誘導電流を発生させる可動側コイルと、シリンダブロックの開口内に挿入可能な誘導加熱コイルと、誘導加熱コイルをシリンダブロックに対して相対的に軸方向に移動させる軸方向移動手段と、誘導加熱コイルをシリンダブロックの開口内で回転させるコイル操作手段とを有し、前記誘導加熱コイルが可動側コイルに接続され、前記可動側コイルは固定側コイルに対して回転可能であり、コイル操作手段が誘導加熱コイルを回転させる際に可動側コイルが追従可能である焼入装置で、開口内壁を焼き入れされたことを特徴とするシリンダブロックである。
【００１７】
ここで「コイル操作手段が誘導加熱コイルを回転させる際に可動側コイルが追従可能である」とは、「誘導加熱コイルを回転させる際に可動側コイルが動くことができ、可動側コイルが誘導加熱コイルを動作させることの障害にならない」という意味である。従ってコイル操作手段が誘導加熱コイルを回転し、誘導加熱コイルの動きに可動側コイルが追従する場合の他、コイル操作手段が可動側コイルを回転させることによって間接的に誘導加熱コイルが回転又は姿勢変更する様な場合も含む。
本発明では、シリンダブロックの開口内壁を焼き入れる焼入装置が、固定側コイルと可動側コイルとを持ち、固定側コイルに交流電流を供給して可動側コイルに誘導電流を発生させる。この誘導電流は固定側コイルと同様に交流である。そして、可動側コイルに発生した誘導電流を誘導加熱コイルに流してシリンダブロックの開口内壁を加熱する。これにより、開口内壁への螺旋状の焼き入れが円滑に行われ、耐久性に優れたシリンダブロックを提供することができる。
【００１８】
請求項７の発明は、シリンダブロックの開口内壁に配される第一接触子と、第二接触子と、導電部材とを備えており、前記第一接触子及び第二接触子はシリンダブロックの特定の位置と接触可能であり、前記第一接触子とシリンダブロックと第二接触子及び導電部材の組み合わせが接続されて高周波電流が通電され、前記第一接触子の接触位置と第二接触子の接触位置とは軸方向及び回転方向に離れた位置であり、導電部材の一部又は全部が第一接触子と第二接触子を繋ぐ仮想線に対向する位置に配された焼入装置で、開口内壁を螺旋状に焼き入れされたことを特徴とするシリンダブロックである。
【００１９】
請求項７の発明では、第一接触子及び第二接触子をシリンダブロックと接触させ、いわゆる直接通電方式によってシリンダブロックの開口内壁を加熱するので、振動等の影響を受けることなく、開口内壁に対して螺旋状の焼き入れを行うことができる。よって、安定した品質のシリンダブロックを提供することができる。
【００２０】
請求項８の発明は請求項７の発明において、前記第一接触子とシリンダブロックと第二接触子及び導電部材の組み合わせを複数組有しており、各組同士が並列に接続されていることを特徴とするシリンダブロックである。
【００２１】
請求項８の発明では、第一接触子とシリンダブロックと第二接触子及び導電部材の組み合わせを複数組有しているので、同時に複数箇所に焼き入れを施すことができ、焼き入れに要する時間を短縮することができる。
【発明の効果】
【００２２】
本発明のシリンダブロックは、開口内壁に螺旋状の線又は傾斜した線に沿った連続する焼入部が形成され、この焼入部に沿って油溜まりが形成されるので、潤滑油は下方へ移動しにくくなる。そのため、開口内壁の広範囲に渡って潤滑油が長時間留まり、強い油膜が形成される。その結果、ピストン摺動時の摩耗が少なくなり、ピストン摺動時の潤滑性が良好になり、焼け付きを防止することができ、シリンダブロックの耐久性を向上させることができる。
【発明を実施するための最良の形態】
【００２３】
以下さらに本発明の実施形態について説明する。
図１は、本発明のシリンダブロックを螺旋状に焼き入れすることができる焼入装置を概念的に表した概略斜視図である。図２は、図１のシリンダブロックの焼入装置で採用する誘導加熱コイルの正面図である。図３は、誘導加熱コイルの変形例の正面図である。
本発明のシリンダブロックを焼き入れする焼入装置１は、図１の様にベース２に、Ｘ−Ｙテーブル３と昇降テーブル５を備え、昇降テーブル５にトランス６、固定側コイル７、可動側コイル８が取り付けられ、さらに可動側コイル８に誘導加熱コイル１０が取り付けられたものである。また昇降テーブル５には、誘導加熱コイル１０を回転させるためのモータ（コイル操作手段）１１が設けられている。
以下順次説明する。
【００２４】
ベース２は、定盤であり、通常の機械の基台と同様である。Ｘ−Ｙテーブル３についても公知のそれと同一であり、図示しないボールネジとモータを有し、シリンダブロック２０を保持してこれを平面的に移動させることができるものである。
【００２５】
昇降テーブル５は、ベース２に対して上下方向に昇降するものである。即ち昇降テーブル５は、昇降装置（軸方向移動手段）２１によって昇降する。本実施形態では、昇降装置２１は、ボールネジ２２及びモータ２３によって構成されている。ボールネジ２２は、ベース２に対して垂直方向に設けられ、ベース２に対して回転可能である。モータ２３は、ギヤードモータ等の低速回転が可能なモータであり、ボールネジ２２を回転させることができる。
【００２６】
昇降テーブル５は、雌ねじ部材２５を有し、当該雌ねじ部材２５が前記したボールネジ２２と螺合している。また昇降テーブル５には、図示しないガイドが設けられており、当該ガイドによって水平姿勢を維持した状態で昇降可能である。
従って昇降テーブル５は、モータ２３を回転させることにより、水平姿勢を維持した状態で上下方向に昇降する。
【００２７】
昇降テーブル５には、図１の様に開口２７が設けられている。
さらに昇降テーブル５にはトランス６が載置されている。トランス６は、焼入に要する電力を供給するものであり、高周波の交流を発生させる。即ちトランス６は、内部に一次コイルと二次コイルを有し、一次側コイルに高周波電流を入力し、二次コイル側に高周波電流を発生させる。
【００２８】
固定側コイル７は、円形環状のワンターンコイルであり、図示しない支持部材によって昇降テーブル５の開口２７上に固定されている。固定側コイル７は昇降テーブル５に一体的に固定されていて動かない。また固定側コイル７には前記したトランス６の二次側コイルが接続されており、高周波電流が供給される。
なお固定側コイル７及び後記する可動側コイル８は、共に銅等の金属を素材とする管を曲げ加工して作られたものであり、中心部に図示しない導通孔が連通している。当該導通孔には冷却水が流される。
本実施形態では、固定側コイル７は断面形状が長方形の角パイプを使用して成形されているが、固定側コイル７のコイル線の断面形状は円であっても楕円であってもよい。
また昇降テーブル５の下面には、モータ（コイル操作手段）１１が取り付けられている。さらに当該モータ１１から動力伝導を受ける小ギア３６がある。
【００２９】
可動側コイル８は、コイル本体部４２と導電部３０及びギア部３１によって構成されている。
可動側コイル８のコイル本体部４２は、円形環状のワンターンコイル部３３と、ワンターンコイル部３３の両端からワンターンコイル部３３の中心部に向かう水平方向直線部３５によって構成されている。なお水平方向直線部３５は、二本の導電体が水平に並んで中心方向に向かうものであるが、両者の間は絶縁されている。
ワンターンコイル部３３の外径は、前記した固定側コイル７の内径よりも僅かに小さい。
【００３０】
導電部３０は、水平方向直線部３５の末端部から垂直下方に延びる導電体である。導電部３０は直線状であり、その位置は、ワンターンコイル部３３の中心軸線と一致している。
可動側コイル８のコイル本体部４２及び導電部３０は銅等の金属を素材とする管を曲げ加工して作られたものであり、中心部に図示しない導通孔が連通している。当該導通孔には冷却水が流される。
ギア部３１は、導電部３０の周囲に絶縁体（図示せず）を介してギアが取り付けられたものである。またギア部３１には、昇降テーブル５の下面に設けられたモータ（コイル操作手段）１１の小ギア３６が係合している。
【００３１】
可動側コイル８は、図１の様にコイル本体部４２が固定側コイル７の内側にある。即ち可動側コイル８のコイル本体部４２は、固定側コイル７と同一平面上にあり、且つ可動側コイル８のコイル本体部４２の中心線は、固定側コイル７の中心線と一致する。
前記した様に、可動側コイル８のワンターンコイル部３３の外径は、固定側コイル７の内径よりも僅かに小さいので、可動側コイル８は、固定側コイル７の近傍に配置されることとなる。可動側コイル８と固定側コイル７の位置は、両者の間が電磁的に結合され得る距離である。
可動側コイル８のコイル本体部４２は、固定側コイル７に対して回転可能である。ただし可動側コイル８のコイル本体部４２は、固定側コイル７に対して軸方向には一体的に固定されている。従って可動側コイルのコイル本体部４２は、常に固定側コイル７と同一平面上にあり、この位置関係が崩れることはない。可動側コイル８の支持方法については後記する。
【００３２】
誘導加熱コイル１０は、図２の様に菊形環状のワンターンコイル部４０と、ワンターンコイル部４０の両端からワンターンコイル部４０の中心部に向かう水平方向直線部４１によって構成されている。すなわち、ワンターンコイル部４０が誘導加熱コイル１０の大径部を構成しており、隣接するワンターンコイル部４０の間には小径部が形成されている。
すなわち、ワンターンコイル部４０は、凸部４５（誘導加熱コイル１０の一部）と凹部４６とが交互に設けられたものであり、凸部４５の外径は、シリンダブロック２０（ワーク）の開口７０の内径よりも僅かに小さい。ワンターンコイル部４０の凸部４５は等間隔に設けられている。
水平方向直線部４１は、二本の導電体が水平に並んで中心方向に向かうものであるが、両者の間は絶縁されている。水平方向直線部４１の終端部は、ワンターンコイル部４０の中心にある。
【００３３】
誘導加熱コイル１０は、銅等の金属を素材とする断面形状四角形の管を曲げ加工して作られたものであり、中心部に図示しない導通孔が連通している。当該導通孔には冷却水が流される。
本実施形態で採用する誘導加熱コイル１０は、シリンダプロック２０の開口７０の内壁７１を焼き入れするものであり、後記する様にシリンダブロック２０の開口７０内に誘導加熱コイル１０が挿入される。
本実施形態では、誘導加熱コイル１０は、凸部４５と凹部４６とが交互に設けられたものであるから、凸部４５の先端がシリンダブロック２０の開口７０内の内壁７１に近接し、内壁７１を加熱する。
なお誘導加熱コイル１０は、図３に示すように凹部４６に磁性体を取り付けてもよい。また凹部を設けずに磁性体を一定間隔で取り付けても同様の作用効果が期待できる。
【００３４】
誘導加熱コイル１０は、前記した可動側コイル８の導電部３０に接続されている。即ち誘導加熱コイル１０の水平方向直線部４１が可動側コイル８の導電部３０の末端に接続されている。より具体的には、誘導加熱コイル１０の水平方向直線部４１及び可動側コイル８の導電部３０は、共に二本の管状導体であり、これらが機械的にも電気的にも一体的に接合されている。また誘導加熱コイル１０と可動側コイル８の導通孔は連通する。
【００３５】
本実施形態のシリンダブロックの焼入装置１を使用する際には、トランス６に給電し、トランス６の二次側に高周波電流を発生させる。この高周波電流は、固定側コイル７に伝導される。その結果、固定側コイル７が磁界を発生させ、磁束が可動側コイル８のコイル本体部４２を通過する。そのため、可動側コイル８のコイル本体部４２には誘導電流が発生する。この誘導電流は、高周波交流である。
また可動側コイル８は、誘導加熱コイル１０に接続されているので、誘導加熱コイル１０に高周波電流が流れ、近接位置にあるシリンダブロック２０に誘導電流を生じさせて発熱させる。
なおこの時、各コイルには冷却水が流され、コイルの発熱が抑制される。
【００３６】
本実施形態のシリンダブロックの焼入装置１では、誘導加熱コイル１０を昇降させることができるばかりでなく、誘導加熱コイル１０を回転させることもできる。
即ち誘導加熱コイル１０を昇降させる場合には、昇降テーブル５のボールネジ２２をモータ２３によって回転させ、ボールネジ２２と係合する昇降テーブル５を昇降させる。
その結果、固定側コイル７が昇降するが、前記した様に、可動側コイル８のコイル本体部４２は、固定側コイル７に対して軸方向には一体的に固定されているから、固定側コイル７の昇降に応じて可動側コイル７も昇降し、可動側コイル７から垂下された誘導加熱コイル１０も昇降する。
【００３７】
また誘導加熱コイル１０を回転させる際には、昇降テーブル５の下面に設けられたモータ（コイル操作手段）１１を回転させる。その結果、小ギア３６が回転する。ここで可動側コイル８は、固定側コイル７に対して軸方向には一体的に固定されているものの、固定側コイル７に対して回転方向には自由度を持つ。そのためモータ（コイル操作手段）１１を回転させると小ギア３６が回転し、小ギア３６と係合するギア部３１が回転し、可動側コイル８が全体的に回転して誘導加熱コイル１０が回転する。即ち本実施形態では、コイル操作手段１１が誘導加熱コイル１０を回転させる際には、可動側コイル８が円滑に追従し、捩じれ等が生じない。
【００３８】
以上、本実施形態のシリンダブロックを焼き入れする焼入装置１の概略構成を概念的に説明したが、実際にシリンダブロックの焼入装置１を設計するに際しては、各部の絶縁性確保や、支持方法に工夫が必要である。図４は、本発明のシリンダブロックを焼き入れする焼入装置１の固定側コイル７及び可動側コイル８の組み合わせ部分の一例を示す断面斜視図である。
なお図４に示された部材の中で、前述した図１に図示された部材と同一の部材には同一の番号が付されている。
【００３９】
図４に示す実施形態では、固定側コイル７は、ホルダー部材片５０，５１の間に挟み込まれて保持されている。ホルダー部材片５０，５１と固定側コイル７との間には絶縁性及び断熱性を備えた部材が介在されている（図示せず）。
固定側コイル７の内壁側はホルダー部材片５０，５１の内側に露出している。
ホルダー部材片５０，５１はフランジ部５３を有し、当該フランジ部５３が昇降テーブル５の開口２７の縁部にネジ止めされている。
従って固定側コイル７は、ホルダー部材片５０，５１を介して昇降テーブル５に固定されており。固定側コイル７は昇降テーブル５と一体的に移動する。
【００４０】
またホルダー部材片５０，５１の内周端近傍であって、その内側部分にはレール部材５５，５６が環状に敷設されている。レール部材５５，５６は、絶縁体で作られている。
そして当該レール部材５５，５６の間に可動側コイル８のコイル本体部４２が配置されている。
従って可動側コイル８のコイル本体部４２は、固定側コイル７に対して軸方向には一体的に移動し、回転方向には自由度がある。
【００４１】
次に、前述した実施形態のシリンダブロックの焼入装置１の作用を代表的な使用例について説明する。
上記したシリンダブロックの焼入装置１は、内燃機関のシリンダブロック２０をワークとするものであり、シリンダボア（開口７０内）の内壁７１を焼き入れするものである。
図５は、図１のシリンダブロックの焼入装置１によって焼入されたシリンダボア（開口７０内）の内壁７１の破断斜視図である。図６は、シリンダボアの展開図である。
【００４２】
本実施形態のシリンダブロックの焼入装置１を使用すれば、シリンダボア７０の内壁７１の焼入パターンを連続的な螺旋状の線にすることができる。
即ち本実施形態のシリンダブロックの焼入装置１を使用してシリンダボア７０の内壁７１を焼き入れする場合は、ワークたるシリンダブロック２０をＸ−Ｙテーブル３に固定し、Ｘ−Ｙテーブル３を動作させてシリンダボア（開口７０）を誘導加熱コイル１０の直下に移動させる。
【００４３】
続いて昇降テーブル５を降下させ、誘導加熱コイル１０をシリンダブロック２０の開口７０内の最奥部（下端部）まで挿入する。
そしてトランス６に通電する。その結果固定側コイル７に磁界が発生し、可動側コイル８のコイル本体部４２には誘導電流が発生し、誘導加熱コイル１０に高周波電流が流れる。ここで誘導加熱コイル１０に凸部４５が設けられているので、当該凸部４５と近接する部位が加熱されて赤熱する。
この状態で、昇降テーブル５を上昇させ、同時に昇降テーブル５の下面に設けられたモータ（コイル操作手段）１１を回転させて誘導加熱コイル１０を回転させる。
その結果、誘導加熱コイル１０の凸部４６は、螺旋軌跡を描いて移動する。そのためシリンダボア（開口７０内）の内壁７１に、螺旋軌跡を描いた赤変部ができる。そして当該赤変部を放水等によって冷却し、焼入を行う。その結果、図５，６の様な螺旋状の焼入軌跡７２が形成される。
【００４４】
また上記した一連の工程を自動的に行うことができる制御装置を備えることが望ましい。図７は、図１のシリンダブロックの焼入装置１の動作を示すフローチャートである。
制御装置の信号に基づき、次の工程が自動的に行われる。
（１）誘導加熱コイル１０の降下
（２）固定側コイル７への通電
（３）誘導加熱コイル１０を回転させつつ上昇
（４）固定側コイル７への通電停止
（５）シリンダブロック２０の開口７０内の内壁７１の冷却
即ち図７のフローチャートの様に、ステップ１で誘導加熱コイル１０がシリンダブロック２０の開口７０内に降下される。続くステップ２で、固定側コイル７に通電される。その結果、誘導加熱コイル１０に高周波電流が流れ、シリンダボア（開口７０内）の内壁７１を加熱する。
続くステップで、誘導加熱コイル１０を回転させつつ上昇させる。そして誘導加熱コイル１０がシリンダブロック２０の開口７０の端近傍に至ると、自動的に固定側コイル７への通電が停止され（ステップ４）、赤変部が放水等によって冷却される（ステップ５）。
【００４５】
固定側コイル７への通電停止及び内壁の冷却は、シリンダボアの軸方向の全長に渡って加熱した後に行ってもよいが、シリンダブロック２０の全長が長い場合には、例えば全長の３分の１ずつ加熱し、固定側コイル７への通電を停止し、放水等によって冷却してもよい。
【００４６】
また上記した実施形態では、固定コイル７への通電を停止してから加熱部分を冷却したが、シリンダブロック２０が大きい場合には誘導加熱を追いかけて加熱部分を冷却することが望ましい。
【００４７】
ここでステップ１では、誘導加熱コイル１０を降下させたが、さらにシリンダブロック２０を上昇させてもよい。また、代わりに、誘導加熱コイル１０を固定し、シリンダブロック２０を上昇させてもよい。同様にステップ３では、誘導加熱コイル１０のみを上昇させたが、誘導加熱コイル１０とシリンダブロック２０とが相対的に軸方向に移動するように、シリンダブロック２０を降下させてもよい。
【００４８】
図８乃至図１０は、本発明の実施形態のシリンダブロックの焼入装置１の動作を示し、（ａ）は焼き入れ開始時のシリンダブロック２０の断面図であり、（ｂ）は動作途中におけるシリンダブロック２０の断面図である。
【００４９】
図８に示すシリンダブロック２０の焼入装置７８では、誘導加熱コイル１０の下部に冷却水配管８０が設けられている。冷却水配管８０は、誘導加熱コイル１０の支持部材（図示せず）に取り付けられており、誘導加熱コイル１０と一体的に昇降する。
冷却水配管８０には多数のノズル（開口）８１が設けられている。また冷却水配管８０には図示しない冷却液槽から冷却液が供給され、前記したノズル８１から冷却液がシリンダブロック２０の内壁７１に向かって噴射される。
【００５０】
図８に示すシリンダブロック２０の焼入装置７８では、誘導加熱コイル１０がシリンダブロック２０の開口７０内に降下され、固定側コイル７に通電され誘導加熱コイル１０に高周波電流が流れてシリンダボアの内壁７１が加熱されると共に、冷却水配管８０に冷却液が供給される。
【００５１】
そして誘導加熱コイル１０を回転させつつ上昇させる。その結果、誘導加熱コイル１０の凸部４６が螺旋軌跡を描いて移動する。そして本実施形態では、冷却水配管８０が誘導加熱コイル１０と一体的に昇降し、冷却水配管８０のノズル８１（開口）から冷却液がシリンダブロック２０の内壁７１に向かって噴射されるので、加熱部分が順次冷却される。
【００５２】
図８で示したシリンダブロックの焼入装置７８では、冷却装置として冷却水配管８０を利用したが、冷却装置はこの構成に限定されるものではなく、冷却液が入った槽を利用することも考えられる。
図９、図１０は、冷却装置として冷却液槽を利用する構成を示すものである。
図９に示すシリンダブロックの焼入装置８３では、冷却装置として冷却液槽８５を備えている。冷却液槽８５には、ポンプ８６が接続されており、冷却液がポンプ８６によって出し入れされる。即ち本実施形態では、ポンプ８６を駆動することにより、冷却液槽８５内の冷却液の液面を昇降させることができる。
【００５３】
図９に示すシリンダブロック２０の焼入装置８３においても、誘導加熱コイル１０がシリンダブロック２０の開口７０内に降下され、固定側コイル７に通電され誘導加熱コイル１０に高周波電流が流れて内壁７１が加熱される。そして誘導加熱コイル１０を回転しつつ上昇させる。その結果、誘導加熱コイル１０の凸部４６が螺旋軌跡を描いて移動する。
また本実施形態では、これら一連の動作と平行してポンプ８６によって冷却液が冷却液槽８５に供給され、冷却液の液面が次第に上昇する。液面の上昇速度は、固定側コイル７の上昇速度と略一致させるのが好ましい。
そのため誘導加熱コイル１０によって加熱された部位に冷却液の液面が至り、加熱部位を順次冷却してゆく。
【００５４】
図９で示した実施形態では、冷却液槽８５の液面を上昇させることによって誘導加熱を追う構成としたが冷却液槽８５自体を昇降させたり、シリンダブロック２０の方を昇降させて冷却液槽８５に浸ける構成を採用してもよい。図１０は、シリンダブロック２０を降下させて冷却液槽８５に浸ける例を示している。
【００５５】
以上説明した実施形態では、可動側コイル８は回転方向にのみ自由度を持つが、さらに加えて昇降方向（軸方向）に自由度を持たせてもよい。
図１１は、本発明のその他の実施形態のシリンダブロック２０の焼入装置６０の概念図である。図１２は、図１１に示すシリンダブロック２０の焼入装置６０の動作を示す説明図であり、（ａ）は、可動側コイル８が上端近傍にある場合を示し、同（ｂ）は、可動側コイル８が降下した状態を示す。
【００５６】
図１１において、先の実施形態と同一の部材には同一の番号を付している。
図１１に示す焼入装置６０では、可動側コイル８は回転方向と軸方向の双方に自由度を持つ。
図１１に示す焼入装置６０では、固定側コイル６１は、円環状であるが、その軸方向の長さが先の実施例のものに比べて長い。また軸方向に昇降することができる。
本実施形態では、固定側コイル６１が軸方向に長いから、可動側コイル８が図１２（ｂ）の様に降下しても、可動側コイル８は固定側コイル６１で囲まれた空間から外れない。
【００５７】
上記した実施形態では、いずれも固定側コイル７及び移動側コイル８にコアが設けられていないが、公知のトランスの如く、コアを設けてもよい。
【００５８】
また上記した実施形態では、コイルはいずれもワンターン形のコイルであるが、代わりに複数の巻き数を有するコイルを使用してもよい。
【００５９】
また上記した実施形態では、いずれも固定側コイルが外側にあり、可動側コイルが内側に設けられているが、逆に固定側コイルを内側に設け、その外周を可動側コイルが取り巻くように構成してもよい。また電磁的結合が維持されるならば固定側コイルと可動側コイルとを並列的に並べてもよい。
【００６０】
以下において、さらに本発明の別の実施形態について説明する。
図１３は、図５及び図６に示す焼入軌跡７２とは別の軌跡を描くことができる焼入装置の概略斜視図である。図１４は、図１３の焼入装置を実体的に記載した斜視図である。図１５は、図１４のシリンダブロックの焼入装置を展開的に記載した正面図である。図１６は、図１４のシリンダブロックの焼入装置の断面斜視図である。図１７は、図１５のXVII−XVII断面図である。
【００６１】
焼入装置１００は、シリンダブロック２０の内壁７１を直接通電方式によって加熱し、焼き入れを行うものである。従ってシリンダブロックの焼入装置１００は、シリンダブロックの内壁７１に通電するための第一接触子４ａ，４ｂと、第二接触子９ａ，９ｂを備えている。
またトランス６からこれらに給電するための導電部材１２ａ，１２ｂ及び給電線１３，１４を備えている。
【００６２】
焼入装置１００では、トランス６の２個の出力端子（図示せず）にそれぞれ給電線１３，１４が接続されている。そして給電線１３，１４は、図１３の様に途中で各々２本に分岐している。一方の給電線１３は、分岐した各々に第一接触子４ａ，４ｂが接続されている。
また他方の分岐した給電線１４は、導電部材１２ａ，１２ｂを介して第一接触子５ａ，５ｂに各々接続されている。なお本実施形態における導電部材１２ａ，１２ｂでは、図１６の様にシリンダ（シリンダブロック）の内壁７１と対向接触しない面にコア３４が設けられている。コア３４は、フェライト等の磁性体で構成されている。
第一接触子４ａと、シリンダの内壁７１と、第二接触子９ａ及び導電部材１２ａの組み合わせは直列回路を構成している。
同様に、第一接触子４ｂと、シリンダの内壁７１と、第二接触子９ｂ及び導電部材１２ｂの組み合わせについても直列回路である。
ただしトランス６を基準とすると、前記した２組の直流回路同士は、並列である。
【００６３】
また各部材の位置関係を見ると、各直流回路を構成する第一接触子４と、第二接触子９は、軸方向にも回転方向にも離れた位置でシリンダの内壁７１と接触する。より具体的には、一方の直流回路を構成する第一接触子４ａと、第二接触子９ａは、軸方向にも回転方向にも離れた位置にあり、両者を結ぶ仮想線１５ａは、傾斜している。より正確には、仮想線１５ａは螺旋である。同様に、他方の直流回路を構成する第一接触子４ｂと、第二接触子９ｂは、軸方向にも回転方向にも離れた位置にあり、両者を結ぶ仮想線１５ｂは、傾斜し、螺旋状である。
【００６４】
また導電部材１２ａ，１２ｂは、図１６，１７の様に、前記した仮想線１５ａ，１５ｂに対向する位置にある。即ち導電部材１２ａ，１２ｂと、シリンダの内壁７１との距離はいずれの部位でも同一であり、且つ導電部材１２ａ，１２ｂは、仮想線１５ａ，１５ｂとシリンダボアの中心軸とを含む平面上にある。
【００６５】
また焼入装置１００は、第一接触子４ａ，４ｂ等の横に冷却ジャケット１６を備えている。冷却ジャケット１６には冷却液が供給され、側面に設けられた開口２６（すなわち、図１６に示すノズル２６）からシリンダの内壁７１に向かって冷却液を噴射することができる。
【００６６】
焼入装置１００を使用する際は、トランス６に給電し、トランス６の二次側に高周波電流を発生させる。この高周波電流は、第一接触子４ａ，４ｂと、第二接触子９ａ，９ｂを介してシリンダブロックの開口内壁７１に流れる。
また本実施形態では、第一接触子４ａ，４ｂと、第二接触子９ａ，９ｂを結ぶ仮想線１５ａ，１５ｂに対して導電部材１２ａ，１２ｂが対向し、当該導電部材１２ａ，１２ｂにも通電される。そのため内壁７１側においては、仮想線１５ａ，１５ｂ上の電流密度が他の部位に比べて高いものとなる。即ちシリンダブロック内で電流は広がらず、螺旋曲線に沿って流れることとなる。
また導電部材１２ａ，１２ｂを流れる高周波電流によって磁界が生じ、シリンダの内壁７１の仮想線１５ａ，１５ｂ上に誘導電流が発生する。
その結果、シリンダの内壁７１の、第一接触子４ａ，４ｂと第二接触子９ａ，９ｂを結ぶ螺旋曲線上の部位が昇温し、赤熱する。
【００６７】
その後、トランス６に対する給電を停止し、冷却ジャケット１６からシリンダの内壁７１に向かって冷却液を噴射して赤熱部分を急冷する。すなわち、仮想線１５ａ，１５ｂに沿って２条で一組の部位が焼き入れされ、その後、第一接触子４ａ，４ｂと第二接触子９ａ，９ｂの接触位置を所定の角度だけ回転させて、仮想線１５ａ，１５ｂに隣接する別の部位に焼き入れ対象の部位を移動させ、この部位を同様に焼き入れするが、そのとき、並行して仮想線１５ａ，１５ｂの部位が冷却液で直ちに冷却される。
その結果、シリンダの内壁７１の仮想線１５ａ，１５ｂの部位に２条の焼き入れが完了する。
そして、さらにその後、第一接触子４ａ，４ｂと第二接触子９ａ，９ｂの接触位置を所定の角度だけ回転させ、先と同一の工程を繰り返す。
すなわち、仮想線１５ａと１５ｂとが一組で焼き入れする際の一つの単位となる。図１３に示す例では、開口内壁７１に対する焼き入れは２条（仮想線１５ａ，１５ｂ）であるが、３条以上にしても差し支えない。その際には、給電線１３及び１４を分岐させ、第一接触子（４ａ），第二接触子（９ａ），及び導電部材（１２ａ）で構成される回路の数を増やし、仮想線１５ａ，１５ｂと並行且つ同じ間隔で図示しない３つ目以降の仮想線を開口内壁７１上に形成する。
【００６８】
その結果、図１８、図１９に示すように、シリンダブロック２０の内壁７１の全面に複数の連続的な線（曲線）に沿った焼き入れを施すことができる。内壁７１には、焼き入れされて硬化した部位と、焼き入れされない未硬化部位とが層状に形成され、比較的軟性の未硬化部位がピストン（図示せず）の摺動によって摩耗して溝が形成される。この溝が油溜まりとなる。これにより、内壁７１は、ピストン（図示せず）が摺動する際の潤滑性と，焼け付き防止機能，及び耐摩耗性とを兼ね備えることができる。なお図１８は、図１３のシリンダブロックの焼入装置によって焼き入れされたシリンダの内壁７１の破断斜視図である。図１９は、シリンダの内壁７１の展開図である。
【００６９】
図１８及び図１９に示す焼き入れ部位を示す線１５ａ（焼入軌跡）は、図５及び図６に示す焼入軌跡７２とは異なっている。すなわち、図５及び図６は、シリンダブロック２０を破断させたり、展開して示しているため、各曲線が連続していないように見えるが、実際には焼入軌跡７２は、１条又は複数条の連続した曲線（螺旋曲線）である。
【００７０】
一方、図１８及び図１９に示す線１５ａ（焼入軌跡）は、全ての線（１５ａ）が、シリンダブロック２０の開口内壁７１の上端から下端に至っている。これらの線１５ａ（焼入軌跡）は傾斜している。
【００７１】
以上、シリンダブロックの焼入装置１００の概略構成を概念的に説明したが、実際にシリンダブロックの焼入装置１００を設計するに際しては、各部の絶縁性確保や、反力の確保に工夫が必要である。図２０は、本発明のシリンダブロックを焼き入れる焼入装置１７のその他の実施形態を示す斜視図である。図２１は、図２０に示すシリンダブロックの焼入装置で採用する導電部材の断面斜視図である。
【００７２】
シリンダブロックの焼入装置１７は、二組の焼き入れブロック１８，１９を有し、この焼き入れブロック１８，１９同士の間に小型のシリンダ２８，２９（例えばエアシリンダ）を設けたものである。
本実施形態で採用する焼き入れブロック１８，１９は、それぞれが図１３に示す部材と回路構成を備えている。
即ち焼き入れブロック１８，１９は、それぞれシリンダの内壁７１に通電するための第一接触子４ａ，４ｂと、第二接触子９ａ，９ｂを備えている。
またトランス（図示せず）からこれらに給電するための導電部材１２ａ，１２ｂ及び給電線１３，１４を備えている。なお本実施形態における導電部材１２ａ，１２ｂでは、図２１の様にシリンダの内壁７１と対向接触しない面にコア３４が設けられている。コア３４は、フェライト等の磁性体で構成されている。さらにコア３４の外周は、絶縁体２４で覆われている。
【００７３】
第一接触子４と、シリンダの内壁７１と、第二接触子９及び導電部材１２の組み合わせは直列回路を構成している。
さらに各直流回路を構成する第一接触子４と、第二接触子９は、軸方向にも回転方向にも離れた位置でシリンダの内壁７１と接触し、直流回路を構成する第一接触子４と、第二接触子９は、軸方向にも回転方向にも離れた位置にあり、両者を結ぶ仮想線１５は、傾斜している。
導電部材１２は、仮想線１５に対向する位置にある。
【００７４】
焼入装置１７では、小型のシリンダ２８，２９を収縮させた状態で、シリンダの開口内に焼き入れブロック１８，１９を挿入する。そして焼き入れブロック１８，１９を挿入した状態で小型のシリンダ２８，２９を伸長させる。その結果、焼き入れブロック１８，１９同士が離間している。その結果、各接触子３，５が、焼き入れブロック１８，１９によってシリンダの内壁７１に押圧される。
【００７５】
この状態で、第一接触子４と、第二接触子９の間に高周波電流を流し、第一接触子４と第二接触子９を結ぶ曲線に沿って加熱され、昇温する。
その後、ノズル３７からシリンダブロックの開口に冷却液を噴射し、赤熱部分を冷却する。ここで、ノズル３７は、図示しない冷却槽と接続されており、冷却槽内の冷却液を噴射することができるようになっている。
【００７６】
以上の実施形態では、冷却装置として冷却ジャケット１６（図１６）の開口２６（ノズル）から冷却液を噴射する例と、図示しない冷却槽内の冷却液をノズル３７から噴射する例とを示したが、冷却装置はこれらの構成に限定されるものではなく、冷却液が入った冷却槽内にシリンダブロックを配置することも考えられる。すなわち、焼き入れ処理後のシリンダブロックを、図示しない冷却槽内の冷却液に液没させたり、冷却槽内の冷却液の液位をポンプ等で昇降制御可能にしておき、シリンダブロックを冷却槽内に配置し、焼き入れ処理後に冷却槽内の液位を上昇させて、シリンダブロックを冷却液に浸して冷却することも可能である。
【００７７】
さらにその後、小型のシリンダ２８，２９を収縮させ、ギヤードモータ３８を回転させて焼き入れブロック１８，１９を回転させる。
さらにその後、小型のシリンダ２８，２９を伸長させて各接触子３，５をシリンダブロック２０の内壁７１に押圧し、先と同様の工程で焼き入れを行う。
【００７８】
以上説明した実施形態では、小型のシリンダ２８，２９によって焼き入れブロック１８，１９間を離間させたり接近させたりする構成を採用したが、リンク機構を利用して同様の作用を行わしめることもできる。
【００７９】
図２２は、本発明のシリンダブロックを焼き入れする焼入装置のさらに別の実施形態を示す正面図であり、焼き入れブロック１８，１９が接近した状態を示す。図２３は、図２２に示すシリンダブロックの焼入装置３２の正面図であり、焼き入れブロック１８，１９が離間した状態を示す。
【００８０】
焼入装置３２では、焼き入れブロック１８，１９が４節回転連鎖機構の一部を構成し、中央の摺動部材３９を下げると、図２２から図２３の様に焼き入れブロック１８，１９が離間し、焼き入れブロック１８，１９がシリンダの内壁７１に接触する。
そして、曲線状の焼入軌跡７２が内壁７１に形成される。
【図面の簡単な説明】
【００８１】
【図１】本発明のシリンダブロックを焼き入れする焼入装置を概念的に表した概略斜視図である。
【図２】図１のシリンダブロックの焼入装置で採用する誘導加熱コイルの正面図である。
【図３】誘導加熱コイルの変形例の正面図である。
【図４】本発明のシリンダブロックを焼き入れする焼入装置の固定側コイル及び可動側コイルの組み合わせ部分の一例を示す断面斜視図である。
【図５】図１の焼入装置によって焼き入れされたシリンダブロックの開口内壁の破断斜視図である。
【図６】シリンダブロックの開口内壁の展開図である。
【図７】図１のシリンダブロックの焼入装置の動作を示すフローチャートである。
【図８】本発明のシリンダブロックを焼き入れする別の実施形態の焼入装置の動作を示し、（ａ）は焼き入れ開始時のシリンダブロックの断面図であり、（ｂ）は動作途中におけるシリンダブロックの断面図である。
【図９】本発明のシリンダブロックを焼き入れするさらに別の焼入装置の動作を示し、（ａ）は焼き入れ開始時のシリンダブロックの断面図であり、（ｂ）は動作途中におけるシリンダブロックの断面図である。
【図１０】本発明のシリンダブロックを焼き入れするさらに別の焼入装置の動作を示し、（ａ）は焼き入れ開始時のシリンダブロックの断面図であり、（ｂ）は動作途中におけるシリンダブロックの断面図である。
【図１１】本発明のシリンダブロックを焼き入れするさらに別の焼入装置の概念図である。
【図１２】図１１に示すシリンダブロックの焼入装置の動作を示す説明図であり、（ａ）は、可動側コイルが上端近傍にある場合を示し、同（ｂ）は、可動側コイルが降下した状態を示す。
【図１３】本発明のシリンダブロックを焼き入れする焼入装置を概念的に表した概略斜視図である。
【図１４】本発明のシリンダブロックを焼き入れする焼入装置を実体的に記載した斜視図である。
【図１５】図１４のシリンダブロックの焼入装置を展開的に記載した正面図である。
【図１６】図１４のシリンダブロックの焼入装置の断面斜視図である。
【図１７】図１５のXVII−XVII断面図である。
【図１８】図１３の焼入装置によって焼き入れされたシリンダブロックの開口内壁の破断斜視図である。
【図１９】シリンダブロックの開口内壁の展開図である。
【図２０】本発明のシリンダブロックを焼き入れする焼入装置の他の実施形態を示す斜視図である。
【図２１】図２０の焼入装置で採用する導電部材の断面斜視図である。
【図２２】本発明のシリンダブロックを焼き入れする焼入装置の、さらに他の実施形態を示す正面図であり、焼き入れブロック同士が接近した状態を示す。
【図２３】図２２の焼入装置の正面図であり、焼き入れブロック同士が離間した状態を示す。
【符号の説明】
【００８２】
１，１７，３２，１００  シリンダブロックの焼入装置
２              ベース
３              Ｘ−Ｙテーブル
４ａ，４ｂ      第一接触子
５              昇降テーブル
６              トランス
７              固定側コイル
８              可動側コイル
９ａ，９ｂ      第一接触子
１０              誘導加熱コイル
１１              モータ（コイル操作手段）
１２ａ，１２ｂ    導電部材
１３，１４        給電線
１５ａ，１５ｂ    仮想線
１６              冷却ジャケット
１８，１９        焼き入れブロック
２０              シリンダブロック
２１              昇降装置（軸方向移動手段）
２４              絶縁体
２６              冷却ジャケットの冷却液を噴射する開口（ノズル）
２８，２９        小型のエアシリンダ
３４              コア
３７              冷却液を噴射するノズル
６０              シリンダブロックの焼入装置
７０              シリンダブロックの開口
７１              シリンダブロックの開口の内壁
７２              焼入軌跡
８１              ノズル（開口）
【図１】
2008157209.tif 000003
【図２】
2008157209.tif 000004
【図３】
2008157209.tif 000005
【図４】
2008157209.tif 000006
【図５】
2008157209.tif 000007
【図６】
2008157209.tif 000008
【図７】
2008157209.tif 000009
【図８】
2008157209.tif 000010
【図９】
2008157209.tif 000011
【図１０】
2008157209.tif 000012
【図１１】
2008157209.tif 000013
【図１２】
2008157209.tif 000014
【図１３】
2008157209.tif 000015
【図１４】
2008157209.tif 000016
【図１５】
2008157209.tif 000017
【図１６】
2008157209.tif 000018
【図１７】
2008157209.tif 000019
【図１８】
2008157209.tif 000020
【図１９】
2008157209.tif 000021
【図２０】
2008157209.tif 000022
【図２１】
2008157209.tif 000023
【図２２】
2008157209.tif 000024
【図２３】
2008157209.tif 000025